(57)【要約】      （修正有）【課題】風力と水力によりブレードを回転させ、効果的にストレーナ上のゴミを除去し、排水路の疎通を向上する、自動ゴミ除去機能を備えたルーフドレンの提供。【解決手段】主にストレーナＣ、座体Ｄ、ファンユニットＥ、ゴミ排除ユニットＦを含み、前記座体が収容空間を有し、前記ファンユニットが前記座体の収容空間内に設置され、前記ゴミ排除ユニットが前記ストレーナ上に設置され、且つ、前記ストレーナを覆う複数のブレードが設けられ、前記ブレードが軸受に接続され、前記軸受の一端に風力装置が設けられ、他端が前記ファンユニットの孔部に接続され、前記ファンユニットにぶつかる水流と風力装置の回転により軸受が回転され、前記軸受がブレードをストレーナ上で回転させて前記ストレーナ上のゴミを取り除き、ルーフドレン上にゴミを残留させず、水流の疎通を保つ。【選択図】図３
0003133429.tif 000002
【実用新案登録請求の範囲】
【請求項１】
自動ゴミ除去機能を備えたルーフドレンであって、前記ルーフドレンが主に、ストレーナ、座体、ファンユニット、ゴミ排除ユニットを含み、そのうち、前記ストレーナが複数のストレーナバーを含み、前記複数のストレーナバーが上端部で接続され、且つ穿通孔が形成され、前記複数のストレーナバーの他端が固定盤にそれぞれ接続され、前記座体が下座部を含み、前記下座部が前記固定盤に接続され、且つ収容空間を形成し、前記ファンユニットは前記座体の収容空間内に設置され、且つ、回転用の複数の羽根片を備え、前記複数の羽根片が孔部に接続されると共に、前記ゴミ排除ユニットは前記ストレーナ上に設置され、且つ、前記ストレーナを覆う複数のブレードが設けられ、前記ブレードが軸受に接続され、前記軸受は一端に風力装置が設けられ、他端がファンユニットの孔部に接続され、前記ファンユニットにぶつかる水流と風力装置の回転により軸受が回転され、前記軸受がブレードをストレーナ上で回転させて前記ストレーナ上のゴミを取り除き、ルーフドレン上にゴミを残留させず、水流の疎通を保つという目的を達することを特徴とする自動ゴミ除去機能を備えたルーフドレン。        
【請求項２】
前記ルーフドレンがさらに動力装置を含み、前記動力装置が前記ファンユニットの底部に設置され、前記ストレーナ上のブレードに回転の動力を供給する請求項１に記載の自動ゴミ除去機能を備えたルーフドレン。
【請求項３】
前記ストレーナ上にフィルターが設置され、前記ストレーナ上のゴミをより効果的に隔離する請求項１に記載の自動ゴミ除去機能を備えたルーフドレン。        
【請求項４】
前記羽根片上に斜度が設けられ、水流が羽根片を通過するとき、前記斜度の設置により前記ファンユニットを一方向に回転させ、前記ゴミ排除ユニットのブレードをストレーナ上で回転させる請求項１に記載の自動ゴミ除去機能を備えたルーフドレン。
【考案の詳細な説明】
【技術分野】
【０００１】
本考案は自動ゴミ除去機能を備えたルーフドレンに関し、詳細には、風力と水力によりブレードを回転させ、効果的にストレーナ上のゴミを除去し、排水路の疎通を向上する、自動ゴミ除去機能を備えたルーフドレンに関する。
【背景技術】
【０００２】
図１及び図２に示すように、一般的な従来のルーフドレンＡはストレーナキャップＡ１を含み、且つ、このストレーナキャップＡ１に複数のゴミよけ棒Ａ２が設けられ、これらゴミよけ棒Ａ２がフランジ部Ａ３に接続され、さらにフランジ部Ａ３が底部Ａ４に接続されて成る。ルーフドレンＡを屋外に設置し、水流を疎通させると同時にゴミＡ５を隔離するとき、水流のためにゴミＡ５がその中に挟まり、挟まったゴミＡ５がストレーナキャップＡ１上に溜まり、溜まったゴミＡ５がどんどん厚くなってルーフドレンＡに目詰まりを引き起こし、水流の疎通機能が失われることが起こりやすい。
【０００３】
このため、上述の問題をいかに排除するかが本考案の解決する技術的問題である。
【考案の開示】
【考案が解決しようとする課題】
【０００４】
本考案の目的は、風力と水力によりブレードを回転させ、効果的にストレーナ上のゴミを除去し、排水路の疎通を向上する、自動ゴミ除去機能を備えたルーフドレンを提供することにある。        
【課題を解決するための手段】
【０００５】
以下、本考案について図面、符号及び実施例に基づき詳細に説明する。本考案の自動ゴミ除去機能を備えたルーフドレンの構造は、図３及び図４に示すように、ルーフドレンＢがストレーナＣ、座体Ｄ、ファンユニットＥ及びゴミ排除ユニットＦから構成される。前記ストレーナＣ上には複数のストレーナバーＣ１が設置され、各ストレーナバーＣ１は上部の穿通孔Ｃ２にそれぞれ接続され、且つ、各ストレーナバーＣ１の他端が固定盤Ｃ３に接続され、前記固定盤Ｃ３が延伸されて座体Ｄに接続される。前記座体Ｄは下座部Ｄ１を備え、且つ、前記下座部Ｄ１と固定盤Ｃ３間に収容空間Ｄ２が設けられ、前記収容空間Ｄ２内にファンユニットＥが設置される。前記ファンユニットＥは複数の羽根片Ｅ１が設けられ、各羽根片Ｅ１上にはファンユニットＥを同一方向に回転させるための斜度Ｅ２が設けられ、且つ、前記ファンユニットＥには孔部Ｅ３が開設され、前記孔部Ｅ３からゴミ排除ユニットＦの軸受Ｆ１が延伸され、前記軸受Ｆ１の接続部Ｆ４が前記孔部Ｅ３にしっかりと接続されると共に、前記軸受Ｆ１の他端の接続部Ｆ５に複数のブレードＦ２が接続され、且つ、軸受Ｆ１に風力装置Ｆ３が設置され、且つ、前記風力装置Ｆ３は複数のブレードＦ６を備え、前記ブレードＦ６がストレーナＣ外で回り、軸受Ｆ１の接続とブレードＦ２の回転により、ストレーナＣ上をきれいにして水流を疎通させるという目的を達する。
【考案の効果】
【０００６】
本考案の進歩性と実用性をよりはっきりと示すため、以下、従来品と比較して分析する。
《従来品の欠点》
一、ストレーナキャップのみでゴミを隔離している。
二、ゴミがストレーナキャップ上に停滞しやすい。
三、厚く溜まったゴミがルーフドレンの詰まりを引き起こし、水流が疎通されなくなる。
四、傾斜のある屋根の上に設置されたルーフドレンを清掃するとき危険性が高い。
《本考案の利点》
一、
ストレーナキャップでゴミを隔離した後、さらにブレードで堆積したゴミを取り除くことができる。
二、
風力、水力によりブレードを動かしてゴミを取り除くことができる。
三、
風も水流もないとき、動力装置でブレードを動かすことができる。
四、
ゴミの堆積を防止することができる。
五、
ルーフドレンをきれいに保つことができるため、水流の疎通に有利である。
六、
ルーフドレンのゴミをきれいにするために引き起こされる危険を回避することができる。
七、
進歩性と実用性を備えている。
八、
産業的競争力を向上できる。    
【考案を実施するための最良の形態】
【０００７】
本考案の実施により提供する自動ゴミ除去機能を備えたルーフドレンの構造は、図５及び図６に示すように、前記ファンユニットＥの各羽根片Ｅ１上にはすべて斜度Ｅ２が設けられており、この斜度Ｅ２に水流がぶつかると、羽根片Ｅ１が水流によって一方向に動かされ、さらにファンユニットＥの羽根片Ｅ１に水流が流動するとき前記ファンユニットＥが一方向に回転される。また、前記ファンユニットＥには軸受Ｆ１が接続され、この軸受Ｆ１にさらにゴミ排除ユニットＦと風力装置Ｆ３が接続されており、前記ファンユニットＥが一方向に回転するとき、前記軸受Ｆ１が同時に同一方向に回転し、かつ同時に軸受Ｆ１によりゴミ排除ユニットＦと風力装置Ｆ３が回転され、ゴミ排除ユニットＦと風力装置Ｆ３が回転するとき、前記ゴミ排除ユニットＦと風力装置Ｆ３のブレードＦ６が軸受Ｆ１を中心としてストレーナＣの周囲で回転し、ルーフドレンＢに水が流れるとき、ブレードＦ２の回転によりゴミＨをきれいにして水流を疏通させるという目的を達することができる。そのうち、風力装置Ｆ３が風力を受けて動かされると、前記風力装置Ｆ３のブレードＦ６が同時に軸受Ｆ１を中心としてストレーナＣの周囲で回転し、且つ、前記軸受Ｆ１がゴミ排除ユニットＦのブレードＦ２をストレーナＣ上で回転させるため、前記ルーフドレンＢは水力と風力の自然の力を同時に利用してゴミＨをきれいにし、水流を疏通させるという目的を達することができる。
【０００８】
図７に示すように、ファンユニットＥの底部には動力装置Ｇを増設することができ、ルーフドレンＢ上にすでにゴミＨが堆積しており、水力または風力がなくブレードＦ２を回転させられないときは、動力装置Ｇを起動して軸受Ｆ１を回転させ、かつ軸受Ｆ１の回転により軸受Ｆ１を中心としてストレーナＣ周囲でブレードＦ２を回転させ、同時にゴミＨの除去と水流疎通の目的を達することができ、且つ、動力装置Ｇの設置により、使用者がルーフドレンＢに堆積したゴミＨを取り除くときの危険を回避することができ、特に傾斜のある屋根の上に設置されたルーフドレンＢのゴミを取り除くときなどの危険を回避することができる。
【０００９】
図８に示すように、前記ルーフドレンＢのストレーナＣ上にはフィルターＩを増設することができ、且つ、前記フィルターＩはストレーナＣ上を覆って設置され、ルーフドレンＢのゴミＨを隔離する際、より効果的にゴミＨがルーフドレンＢ内に進入するのを防ぐことができる。
【００１０】
以上で述べた説明は本考案の最良の実施例に基づくものであり、本考案の特許範囲を制限するものではなく、本考案の明細書及び図面の内容を運用した同等効果を得る構造を直接的または間接的にその他関連技術領域に応用したものはすべて本考案の要旨の範囲内に含まれるものとみなす。
【００１１】
上述のように、本考案は先行技術を打破する構造の下、確実にその増進を欲する効果を達成することができ、且つ、関連技術者が容易に思いつくものではなく、さらに、本考案はその出願前に公開されたことがなく、その進歩性と実用性は実用新案登録出願の要件を満たしているため、法に基づきここに実用新案登録を出願するものである。
【図面の簡単な説明】
【００１２】
【図１】従来品の立体図である。
【図２】従来品の使用時の状態を示す立体図である。
【図３】本考案の立体図である。
【図４】本考案の立体分解図である。
【図５】本考案の水力での使用状態を示す立体図である。
【図６】本考案の風力での使用状態を示す立体図である。
【図７】本考案の動力装置を設けた実施例の使用状態を示す立体図である。
【図８】本考案のフィルターを設けた実施例の使用状態を示す立体図である。
【符号の説明】
【００１３】
Ａ、Ｂ      ルーフドレン
Ａ１        ストレーナキャップ
Ａ２        ゴミよけ棒
Ａ３        フランジ部
Ａ４        底部
Ａ５、Ｈ    ゴミ
Ｃ          ストレーナ
Ｃ１        ストレーナバー
Ｃ２        穿通孔
Ｃ３        固定盤
Ｄ          座体
Ｄ１        下座部
Ｄ２        収容空間
Ｅ          ファンユニット
Ｅ１        羽根片
Ｅ２        斜度
Ｅ３        孔部
Ｆ          ゴミ排除ユニット
Ｆ１        軸受
Ｆ２、Ｆ６    ブレード
Ｆ３        風力装置
Ｆ４、Ｆ５    接続部
Ｇ          動力装置
Ｉ          フィルター
【図１】
0003133429.tif 000003
【図２】
0003133429.tif 000004
【図３】
0003133429.tif 000005
【図４】
0003133429.tif 000006
【図５】
0003133429.tif 000007
【図６】
0003133429.tif 000008
【図７】
0003133429.tif 000009
【図８】
0003133429.tif 000010